(57)【要約】【課題】重量の重い物品であっても安定して陳列可能であり、かつ、物品の取り出しも容易な陳列台を提供する。【解決手段】陳列台１００は、第１係合部１０１と、第１係合部１０１に対して相対的に移動可能であって、第１係合部１０１と係合する第２係合部１０２と、第１壁部１１１と、第２壁部１１２と、第３壁部１１３と、第４壁部１１４とを備え、第１壁部１１１及び第３壁部１１３に開口された開口部１２１と、開口部１２１を含む空間であって、物品を陳列する陳列空間１２３とをさらに備える。【選択図】図１
2019187641.tif 000002
【特許請求の範囲】
【請求項１】
第１係合部と、
前記第１係合部に対して相対的に移動可能であって、前記第１係合部と係合する第２係合部と、
前記第１係合部の端部の折曲げ線を支点として回転動作可能に接続された第１壁部と、
前記第１係合部の端部の折曲げ線を支点として回転動作可能に接続され、前記第１係合部を挟んで前記第１壁部とは反対側に配置された第２壁部と、
前記第２係合部の端部の折曲げ線を支点として回転動作可能に接続された第３壁部と、
前記第２係合部の端部の折曲げ線を支点として回転動作可能に接続され、前記第２係合部を挟んで前記第３壁部とは反対側に配置された第４壁部と、
を備え、
前記第１壁部と前記第３壁部とは、折曲げ線を挟んで接続されており、
前記第２壁部と前記第４壁部とは、折曲げ線を挟んで接続されており、
前記第１壁部及び前記第３壁部に開口された開口部と、
前記開口部を含む空間であって、物品を陳列する陳列空間と、
をさらに備える陳列台。
【請求項２】
請求項１に記載の陳列台において、
前記第１係合部と前記第２係合部との係合を浅くすることにより前記第１壁部と前記第２壁部と前記第３壁部と前記第４壁部とが略平行となる状態に折り畳み可能であること、
を特徴とする陳列台。
【請求項３】
請求項１又は請求項２に記載の陳列台において、
前記第１係合部は、折り返された二重構造に構成されており、
当該陳列台は、１枚のシート状の部材を折曲げて構成されていること、
を特徴とする陳列台。
【請求項４】
請求項１から請求項３までのいずれかに記載の陳列台において、
前記第２壁部及び前記第４壁部には、前記開口部に陳列される物品の一部が配置される第２開口部をさらに有すること、
を特徴とする陳列台。
【請求項５】
請求項４に記載の陳列台において、
前記第１係合部と前記第２係合部との少なくとも一方に接続されており、前記開口部又は前記第２開口部と係合し、物品を陳列する棚の少なくとも一部を構成する棚部を有すること、
を特徴とする陳列台。
【請求項６】
請求項１から請求項５までのいずれかに記載の陳列台において、
物品が前記陳列空間に配置された状態において、前記物品が少なくとも前記開口部の端部と接触することにより陳列台の形態を維持すること、
を特徴とする陳列台。
【請求項７】
請求項５に記載の陳列台において、
物品が前記陳列空間に配置された状態において、前記物品が前記開口部の端部及び前記第２開口部の端部と接触することにより陳列台の形態を維持すること、
を特徴とする陳列台。
【請求項８】
請求項１から請求項７までのいずれかに記載の陳列台において、
前記第１壁部及び前記第３壁部の間と、前記第２壁部及び前記第４壁部の間との少なくとも一方には、前記第１係合部及び前記第２係合部と略平行に配置される第５壁部を有すること、
を特徴とする陳列台。
【請求項９】
請求項１から請求項８までのいずれかに記載の陳列台において、
前記陳列空間は、前記第１係合部及び前記第２係合部を鉛直方向に対して平行に配置した状態において、水平方向に対して斜めに傾いた状態で物品を陳列するように形成されていること、
を特徴とする陳列台。
【請求項１０】
請求項１から請求項９までのいずれかに記載の陳列台において、
前記第１係合部は、スリットを有しており、
前記第２係合部は、前記第１係合部からの距離が離れるにしたがって幅が徐々に広く構成されており、かつ、根元は最も幅が広い部位よりも幅が狭く形成されており、
前記第１係合部の前記スリットは、前記第２係合部の最も幅が広い部位よりも幅が狭く形成されていること、
を特徴とする陳列台。
【発明の詳細な説明】
【技術分野】
【０００１】
本発明は、商品等の陳列に用いられる陳列台に関するものである。
【背景技術】
【０００２】
商品を店頭等において陳列する陳列台を、折り畳み可能なように紙等により形成することが従来行われている。例えば、特許文献１には、複数の台紙を組み合わせて折り畳み可能としたハンガーディスプレイが開示されている。
【先行技術文献】
【特許文献】
【０００３】
【特許文献１】特開２０１５−１６００７４号公報
【発明の概要】
【発明が解決しようとする課題】
【０００４】
しかし、特許文献１のハンガーディスプレイでは、軽量な物品であれば陳列可能であるが、物品の重量が重くなると強度が不足して変形するおそれがあった。
また、特許文献１のハンガーディスプレイでは、物品を配置する位置の両側に突出した形状が存在しており、この部分が邪魔で大きな物品を配置できなかったり、配置できても取り出しにくかったりして、使い勝手が悪かった。
さらに、特許文献１のハンガーディスプレイは、複数の部材を組み合わせて構成していることから、コストアップの要因となっていた。
【０００５】
本発明の課題は、重量の重い物品であっても安定して陳列可能であり、かつ、物品の取り出しも容易な陳列台を提供することである。
【課題を解決するための手段】
【０００６】
本発明は、以下のような解決手段により、前記課題を解決する。なお、理解を容易にするために、本発明の実施形態に対応する符号を付して説明するが、これに限定されるものではない。
【０００７】
第１の発明は、第１係合部（１０１）と、前記第１係合部（１０１）に対して相対的に移動可能であって、前記第１係合部（１０１）と係合する第２係合部（１０２）と、前記第１係合部（１０１）の端部の折曲げ線を支点として回転動作可能に接続された第１壁部（１１１）と、前記第１係合部（１０１）の端部の折曲げ線を支点として回転動作可能に接続され、前記第１係合部（１０１）を挟んで前記第１壁部（１１１）とは反対側に配置された第２壁部（１１２）と、前記第２係合部（１０２）の端部の折曲げ線を支点として回転動作可能に接続された第３壁部（１１３）と、前記第２係合部（１０２）の端部の折曲げ線を支点として回転動作可能に接続され、前記第２係合部（１０２）を挟んで前記第３壁部（１１３）とは反対側に配置された第４壁部（１１４）と、を備え、前記第１壁部（１１１）と前記第３壁部（１１３）とは、折曲げ線を挟んで接続されており、前記第２壁部（１１２）と前記第４壁部（１１４）とは、折曲げ線を挟んで接続されており、前記第１壁部（１１１）及び前記第３壁部（１１３）に開口された開口部（１２１）と、前記開口部（１２１）を含む空間であって、物品を陳列する陳列空間（１２３）と、をさらに備える陳列台（１００）である。
【０００８】
第２の発明は、第１の発明に記載の陳列台（１００）において、前記第１係合部（１０１）と前記第２係合部（１０２）との係合を浅くすることにより前記第１壁部（１１１）と前記第２壁部（１１２）と前記第３壁部（１１３）と前記第４壁部（１１４）とが略平行となる状態に折り畳み可能であること、を特徴とする陳列台（１００）である。
【０００９】
第３の発明は、第１の発明又は第２の発明に記載の陳列台（１００）において、前記第１係合部（１０１）は、折り返された二重構造に構成されており、当該陳列台（１００）は、１枚のシート状の部材を折曲げて構成されていること、を特徴とする陳列台（１００）である。
【００１０】
第４の発明は、第１の発明から第３の発明までのいずれかに記載の陳列台（１００）において、前記第２壁部（１１２）及び前記第４壁部（１１４）には、前記開口部（１２１）に陳列される物品の一部が配置される第２開口部（１２２）をさらに有すること、を特徴とする陳列台（１００）である。
【００１１】
第５の発明は、第４の発明に記載の陳列台（１００）において、前記第１係合部（１０１）と前記第２係合部（１０２）との少なくとも一方に接続されており、前記開口部（１２１）又は前記第２開口部（１２２）と係合し、物品を陳列する棚の少なくとも一部を構成する棚部（１３０）を有すること、を特徴とする陳列台（１００）である。
【００１２】
第６の発明は、第１の発明から第５の発明までのいずれかに記載の陳列台（１００）において、物品が前記陳列空間（１２３）に配置された状態において、前記物品が少なくとも前記開口部（１２１）の端部と接触することにより陳列台（１００）の形態を維持すること、を特徴とする陳列台（１００）である。
【００１３】
第７の発明は、第５の発明に記載の陳列台（１００）において、物品が前記陳列空間（１２３）に配置された状態において、前記物品が前記開口部（１２１）の端部及び前記第２開口部（１２２）の端部と接触することにより陳列台（１００）の形態を維持すること、を特徴とする陳列台（１００）である。
【００１４】
第８の発明は、第１の発明から第７の発明までのいずれかに記載の陳列台（１００）において、前記第１壁部（１１１）及び前記第３壁部（１１３）の間と、前記第２壁部（１１２）及び前記第４壁部（１１４）の間との少なくとも一方には、前記第１係合部（１０１）及び前記第２係合部（１０２）と略平行に配置される第５壁部（１１５）を有すること、を特徴とする陳列台（１００）である。
【００１５】
第９の発明は、第１の発明から第８の発明までのいずれかに記載の陳列台（１００）において、前記陳列空間（１２３）は、前記第１係合部（１０１）及び前記第２係合部（１０２）を鉛直方向に対して平行に配置した状態において、水平方向に対して斜めに傾いた状態で物品を陳列するように形成されていること、を特徴とする陳列台（１００）である。
【００１６】
第１０の発明は、第１の発明から第９の発明までのいずれかに記載の陳列台（１００）において、前記第１係合部（１０１）は、スリット（１０１ａ）を有しており、前記第２係合部（１０２）は、前記第１係合部（１０１）からの距離が離れるにしたがって幅が徐々に広く構成されており、かつ、根元は最も幅が広い部位よりも幅が狭く形成されており、前記第１係合部（１０１）の前記スリット（１０１ａ）は、前記第２係合部（１０２）の最も幅が広い部位よりも幅が狭く形成されていること、を特徴とする陳列台（１００）である。
【発明の効果】
【００１７】
本発明によれば、重量の重い物品であっても安定して陳列可能であり、かつ、物品の取り出しも容易な陳列台を提供することができる。
【図面の簡単な説明】
【００１８】
【図１】本発明による陳列台１００の実施形態を示す斜視図である。
【図２】陳列台１００の正面図である。
【図３】陳列台１００の側面図である。
【図４】陳列台１００の背面図である。
【図５】陳列台１００の上面図である。
【図６】陳列台１００の下面図である。
【図７】看板部２００を分離した状態で背面側から見た部分斜視図である。
【図８】陳列台１００の展開図である。
【図９】看板部２００の展開図である。
【図１０】陳列空間１２３に物品５１０，５２０を陳列した状態を示す図である。
【図１１】陳列台１００を折り畳んだ状態の下端部付近を拡大して示す斜視図である。
【図１２】陳列台１００の折り畳んだ状態と組み立てた状態との間の移行状態の下端部付近を拡大して示す斜視図である。
【図１３】陳列台１００を組み立てた状態の下端部付近を拡大して示す斜視図である。
【図１４】第１係合部１０１及び第２係合部１０２の具体的な形態を複数示す図である。
【発明を実施するための形態】
【００１９】
以下、本発明を実施するための最良の形態について図面等を参照して説明する。
【００２０】
（実施形態）
図１は、本発明による陳列台１００の実施形態を示す斜視図である。
図２は、陳列台１００の正面図である。
図３は、陳列台１００の側面図である。
図４は、陳列台１００の背面図である。
図５は、陳列台１００の上面図である。
図６は、陳列台１００の下面図である。
図７は、看板部２００を分離した状態で背面側から見た部分斜視図である。
図８は、陳列台１００の展開図である。
図９は、看板部２００の展開図である。
【００２１】
なお、図１から図９を含め、以下に示す各図は、模式的に示した図であり、各部の大きさ、形状は、理解を容易にするために、適宜誇張して示している。
また、以下の説明では、具体的な数値、形状、材料等を示して説明を行うが、これらは、適宜変更することができる。
本明細書において、形状や幾何学的条件を特定する用語、例えば、平行等の用語については、厳密に意味するところに加え、同様の機能を奏し、平行と見なせる程度の誤差を有する状態も含むものとする。
本明細書において、板、シート、フィルム等の言葉を使用しているが、これらは、一般的な使い方として、厚さの厚い順に、板、シート、フィルムの順で使用されており、本明細書中でもそれに倣って使用している。しかし、このような使い分けには、技術的な意味は無いので、これらの文言は、適宜置き換えることができるものとする。
また、図１中に矢印と共に示した上下、左右、前後の各方向を適宜利用して説明する。
【００２２】
本実施形態の陳列台１００は、１枚の厚紙等のシート状の部材から組み立てて構成されており、ガムやタブレット菓子等の物品をその梱包箱のまま陳列可能な商品ハンガーである。なお、陳列台を形成する部材は、板状、フィルム状であってもよく、陳列する物品の重量を支えることができる強度を確保できる部材であればよい。
本実施形態の陳列台１００は、その上部に看板部２００を取り付けて用いることもできる。各図では、看板部２００を装着した状態を主に示している。また、図８において、折曲げ線Ｌ１，Ｌ４は、谷折りされ、折曲げ線Ｌ３，Ｌ５，Ｌ６，Ｌ７，Ｌ８，Ｌ９，Ｌ１０は、山折りされる。
【００２３】
陳列台１００は、第１係合部１０１と、第２係合部１０２と、第１壁部１１１と、第２壁部１１２と、第３壁部１１３と、第４壁部１１４と、第５壁部１１５Ａ及び１１５Ｂと、開口部１２１と、第２開口部１２２と、陳列空間１２３と、棚部１３０とを備えている。
【００２４】
第１係合部１０１は、スリット１０１ａを有しており、スリット１０１ａの位置で折り返された二重構造に構成されている。第１係合部１０１は、後述の第２係合部１０２が挿入される部分を除いて、不図示の両面テープや接着剤等により２枚を折り重ねて接合されている。本実施形態の第１係合部１０１は、上下方向に３箇所並んで配置されている。
また、第１係合部１０１には、中間開口部１０１ｂが形成されている。
【００２５】
第２係合部１０２は、挿入片１０２ａが突出して設けられており、第１係合部１０１に対して相対的に移動可能であって、挿入片１０２ａがスリット１０１ａに挿入されている。第２係合部１０２は、第１係合部１０１と同様に、不図示の両面テープや接着剤等により２枚を折り重ねて接合されている。
図８に示すように、第２係合部１０２の挿入片１０２ａは、第１係合部１０１からの距離が離れるにしたがって幅が徐々に広く構成されており、かつ、根元は最も幅が広い部位よりも幅が狭く形成されている。また、第１係合部１０１のスリット１０１ａは、第２係合部１０２の最も幅が広い部位よりも幅が僅かに狭く形成されている。したがって、挿入片１０２ａをスリット１０１ａに挿入するときには、スリットが僅かに広がり、かつ、挿入片１０２ａが僅かにつぶれるような変形を伴い、強制的に押し込むような状態となる。そして、挿入片１０２ａをスリット１０１ａの根元までに挿入すると、挿入片１０２ａがスリット１０１ａから外れる方向へ移動しにくくなり、図１のような組み立て形態を維持可能である。
また、第２係合部１０２には、中間開口部１０２ｂが形成されている。この中間開口部１０２ｂは、第１係合部１０１の中間開口部１０１ｂが繋がっており、後述の陳列空間１２３の一部を構成する。
【００２６】
第１壁部１１１は、第１係合部１０１の端部の折曲げ線Ｌ２を支点として回転動作可能に接続されている。なお、ここでは、回転動作可能とは、折り曲げ線Ｌ２で折曲げされることにより第１係合部１０１に対して相対的に回転する動作の一部が可能な状態を示している。具体的には、第１係合部１０１と第２係合部１０２との相対的な移動にともなって、第１壁部１１１は、第１係合部１０１に対して相対的に回転動作を行う。以下の説明における他の部位の回転動作についても、同様である。
【００２７】
第２壁部１１２は、第１係合部１０１の端部の折曲げ線Ｌ３を支点として回転動作可能に接続され、第１係合部１０１を挟んで第１壁部１１１とは反対側（後側）に配置されている。
【００２８】
第３壁部１１３は、第２係合部１０２の端部の折曲げ線Ｌ５を支点として回転動作可能に接続されている。
第１壁部１１１と第３壁部１１３とは、折曲げ線Ｌ７，Ｌ８及び第５壁部１１５Ａを挟んで接続されている。
【００２９】
第４壁部１１４は、第２係合部１０２の端部の折曲げ線Ｌ６を支点として回転動作可能に接続され、第２係合部１０２を挟んで第３壁部１１３とは反対側（後側）に配置されている。
第２壁部１１２と第４壁部１１４とは、折曲げ線Ｌ９，Ｌ１０及び第５壁部１１５Ｂ（第５壁部１１５Ｂａ，１１５Ｂａ）を挟んで接続されている。
【００３０】
第５壁部１１５は、前側の第５壁部１１５Ａと、後側の第５壁部１１５Ｂとを有している。
第５壁部１１５Ａは、第１壁部１１１及び第３壁部１１３の間にあって、第１係合部１０１及び第２係合部１０２と略平行に配置されている。第５壁部１１５Ａは、前側に設けられているので、商品広告等を表示しやすく、また、広告等を見やすくすることができる。
第５壁部１１５Ｂは、第２壁部１１２及び第４壁部１１４の間にあって、第１係合部１０１及び第２係合部１０２と略平行に配置されている。本実施形態では、第５壁部１１５Ｂは、第５壁部１１５Ｂａと第５壁部１１５Ｂｂとを貼り合わせて構成されている。第５壁部１１５Ｂは、後側に設けられているので、陳列台１００を壁面に沿って配置する場合に安定して設置が可能である。また、後述の吊り紐３００を用いて壁面に沿って吊り下げて用いる場合にも使いやすくなる。
【００３１】
開口部１２１は、前側の第１壁部１１１と第３壁部１１３と第５壁部１１５Ａとに開口されている。本実施形態では、開口部１２１は、上下２箇所に設けられている。
【００３２】
第２開口部１２２は、後側の第２壁部１１２及び第４壁部１１４に開口されている。第２開口部１２２には、開口部１２１に陳列される物品の後端部の一部が配置される。
【００３３】
陳列空間１２３は、開口部１２１と、中間開口部１０２ｂ及び中間開口部１０１ｂと、第２開口部１２２とを含む空間であって、物品を陳列するために設けられている。
本実施形態の陳列空間は、第１係合部１０１及び第２係合部１０２を鉛直方向に対して平行に配置した状態、すなわち、図１の上下方向を鉛直方向に合せて配置した状態において、水平方向に対して斜めに傾いた状態で物品を陳列するように形成されている。具体的には、前方が後方よりも下がった状態で物品を陳列するように形成されている。
【００３４】
棚部１３０は、第１係合部１０１と接続されており、陳列空間１２３の底面の一部を形成しており、第２開口部１２２と係合している。棚部１３０は、物品を陳列する棚の一部を構成する。棚部１３０が第２開口部１２２と係合することにより、商品を陳列空間１２３に陳列していない状態であっても、陳列台１００の形状を維持できる。
【００３５】
図１０は、陳列空間１２３に物品５１０，５２０を陳列した状態を示す図である。
前方が後方よりも下がった状態で物品を陳列するように陳列空間１２３を形成したので、図１０に示すように、商品を箱のまま陳列しても、商品を見やすく陳列することができ、また、商品の前方（手前側）は、陳列台１００から露出して配置されるので、商品の取り出しも容易に行える。さらに、手前側の商品を取り出すと、奥側の商品が自重で手前側に出てくることも期待できる。
【００３６】
本実施形態では、図１０に示すように、陳列される物品の大きさに合せて陳列空間１２３の大きさを形成している。よって、物品が陳列空間１２３に配置されると、陳列台１００の各部に物品が適切に接触することとなり、陳列台１００の形態を維持することができる。
特に、物品が開口部１２１の端部及び第２開口部１２２の端部と接触することにより陳列台が折り畳まれてしまう方向への変形を防ぐことができ、陳列台１００の形態を維持することができる。
【００３７】
看板部２００は、二つ折りにして形成されており、陳列台１００の上部を看板部２００に差し込むようにして、陳列台１００に取り付けられる。看板部２００は、商品名等を表示可能な面を追加することを目的として設けられている。よって、物品を陳列するための陳列台としての利用に関しては、省略してもよい。看板部２００の後側には切欠き部２０１が形成されている。この切欠き部２０１は、後述の吊り紐３００が看板部２００と干渉するのを避けるために設けられている。
【００３８】
また、本実施形態の陳列台１００は、床面やテーブル上に置いて利用する他に、吊り紐３００を利用して吊り下げて利用することもできる。吊り紐３００は、第１係合部１０１及び第２係合部１０２の上方に設けられた孔１０３に通して取り付けられる。
【００３９】
次に、陳列台１００の折り畳みについて説明する。陳列台１００は、第１係合部１０１と第２係合部１０２との係合を浅くすることにより第１壁部１１１と前記第２壁部１１２と前記第３壁部１１３と前記第４壁部１１４とが略平行となる状態に折り畳み可能である。
図１１は、陳列台１００を折り畳んだ状態の下端部付近を拡大して示す斜視図である。
図１２は、陳列台１００の折り畳んだ状態と組み立てた状態との間の移行状態の下端部付近を拡大して示す斜視図である。
図１３は、陳列台１００を組み立てた状態の下端部付近を拡大して示す斜視図である。
図１１から図１３に示すように、陳列台１００は、簡単に折り畳んだ状態と組み立てた状態との間で組み替えることができる。なお、棚部１３０は、組み立てた状態において第２開口部１２２と係合させるようにして、折り畳むときには、棚部１３０は、第２開口部１２２との係合を解除する。
【００４０】
以上の構成によって、陳列台１００は、陳列空間１２３に陳列された物品の重量は、陳列台１００を構成するシート状の部材のシート面に沿った方向に主に加わる。よって、薄いシート状の部材により構成されているにもかかわらず、比較的重量の重い物品を陳列可能である。また、陳列台１００は、前面側と後面側だけでなく、中央部に第１係合部１０１及び第２係合部１０２により構成された構造を備えていることから、さらに強度を高めている。
また、第１係合部１０１と第２係合部１０２との係合は、差し込むだけの簡単な構造であっても、組み立てた形態を保持可能であり、組み立て作業、及び、折り畳み作業も簡単に行える。
さらに、陳列台１００は、陳列空間１２３の大きさを、陳列する物品の大きさに合わせて構成しているので、陳列空間１２３に物品を配置することにより、全体の強度をさらに高めることが可能である。
【００４１】
（変形形態）
以上説明した実施形態に限定されることなく、種々の変形や変更が可能であって、それらも本発明の範囲内である。
【００４２】
（１）第１係合部１０１及び第２係合部１０２の具体的な形態は、上述した他、適宜変更可能である。
図１４は、第１係合部１０１及び第２係合部１０２の具体的な形態を複数示す図である。
図１４（ａ）の形態は、上述した実施形態の例を示している。
図１４（ｂ）の形態は、第１係合部１０１及び第２係合部１０２を挿入方向に交差する方向（図中の上下方向）に相対的に移動させながら係合形状を係合させる形態である。
図１４（ｃ）は、第１係合部１０１及び第２係合部１０２の双方に向きを反対にした半円弧状の切り込みを構成し、これらを係合させる構成である。
この他、第１係合部１０１及び第２係合部１０２の具体的な形態は、どのような構成としてもよく、このような係合部に適用可能な従来の構成を適宜利用可能である。
【００４３】
（２）実施形態において、陳列台１００は、厚紙を用いて構成した例を挙げて説明した。これに限らず、例えば、樹脂シートや樹脂板等を用いて構成してもよい。
【００４４】
（３）実施形態において、陳列台１００は、陳列空間１２３を２箇所有する例を挙げて説明した。これに限らず、例えば、陳列空間は、１箇所であってもよいし、３箇所以上であってもよい。
【００４５】
（４）実施形態において、棚部１３０は、後方に設けられた第２開口部１２２と係合させる形態を例に挙げて説明した。これに限らず、例えば、棚部１３０は、前方に設けられた開口部１２１と係合させてもよい。
【００４６】
（５）実施形態において、陳列空間１２３は、前方が低くなるように物品を配置する例を挙げて説明した。これに限らず、例えば、物品を水平に配置できるように陳列空間を構成してもよい。
【００４７】
（６）実施形態において、第５壁部１１５を前後に設けた例を挙げて説明した。これに限らず、例えば、第５壁部を省略してもよいし、第５壁部を前方、又は、後方の一方だけに設けてもよい。
【００４８】
なお、各実施形態及び変形形態は、適宜組み合わせて用いることもできるが、詳細な説明は省略する。また、本発明は以上説明した各実施形態によって限定されることはない。
【符号の説明】
【００４９】
１００  陳列台
１０１  第１係合部
１０１ａ  スリット
１０１ｂ  中間開口部
１０２  第２係合部
１０２ａ  挿入片
１０２ｂ  中間開口部
１０３  孔
１１１  第１壁部
１１２  第２壁部
１１３  第３壁部
１１４  第４壁部
１１５  第５壁部
１１５Ａ  第５壁部
１１５Ｂ（１１５Ｂａ，１１５Ｂｂ）  第５壁部
１２１  開口部
１２２  第２開口部
１２３  陳列空間
１３０  棚部
２００  看板部
２０１  切欠き部
３００  吊り紐
５１０  物品
５２０  物品
【図１】
2019187641.tif 000003
【図２】
2019187641.tif 000004
【図３】
2019187641.tif 000005
【図４】
2019187641.tif 000006
【図５】
2019187641.tif 000007
【図６】
2019187641.tif 000008
【図７】
2019187641.tif 000009
【図８】
2019187641.tif 000010
【図９】
2019187641.tif 000011
【図１０】
2019187641.tif 000012
【図１１】
2019187641.tif 000013
【図１２】
2019187641.tif 000014
【図１３】
2019187641.tif 000015
【図１４】
2019187641.tif 000016